(57)【要約】【課題】  簡便かつ効率的に床材一体型床暖房パネルを交換することのできる新しい交換接続の構造を提供する。【解決手段】  床材一体型電気暖房における下地に接着施工される床暖房パネルの交換接続構造として、隣接する床暖房パネルの（Ａ）（Ｂ）（Ｃ）の各々はその下面に送り電線（３）とともにその一方端の受け側コネクター（４）と他方端の差し込み側コネクター（５）とを納める納め溝部（６）を有し、受け側コネクター（４）が配置されるパネル端部には、隣接する床暖房パネルからの差し込み側コネクターが（５）差し込まれる切り欠き（７）を備えた雄ざね部（８）が配設され、その交換時には、隣接する床暖房パネル（Ｃ）の雄ざね部（８）近傍において送り電線（３）もしくは差し込み側コネクター（５）を、図中の矢印のように丸のこ等により切断し、交換が必要とされる床暖房パネル（Ｂ）を外すようにする。【選択図】図１
2005127669.tif 000002
【特許請求の範囲】
【請求項１】
床材一体型電気暖房における下地に接着施工される床暖房パネルの交換接続構造であって、隣接する床暖房パネルの各々はその下面に送り電線とともにその一方端の受け側コネクターと他方端の差し込み側コネクターとを納める納め溝部を有し、受け側コネクターが配置されるパネル端部には、隣接する床暖房パネルからの差し込み側コネクターが差し込まれる切り欠きを備えた雄ざね部が配設され、その交換時には、隣接する床暖房パネルの雄ざね部近傍において送り電線もしくは差し込み側コネクターを切断し、交換が必要とされる床暖房パネルを外すようにしたことを特徴とする床暖房パネルの交換接続構造。
【請求項２】
受け側コネクターは、弾性差し込み機構を有していることを特徴とする請求項１の交換接続構造。
【請求項３】
パネル下面の納め溝部は、差し込み側コネクターを納めるとともに、このコネクターがパネル端部よりはみ出るだけの送り電線の余長を吸収できる寸法を有していることを特徴とする請求項１の交換接続構造。
【発明の詳細な説明】
【技術分野】
【０００１】
この出願の発明は、床暖房パネルの交換接続構造に関するものである。さらに詳しくはこの出願の発明は、床材一体型の床暖房パネルにおいて、その特定位置の不具合によって交換する場合に、簡便かつ効率的に交換することのできる新しい床暖房パネルの交換接続構造に関するものである。
【背景技術】
【０００２】
従来より、床材一体型の電気暖房設備として、パネル下面に電線やコネクタを収納するようにした床暖房パネルを下地に接着施工して敷設するものが知られている（たとえば特許文献１参照）。
【特許文献１】特開平７−２６９９０６号公報
【発明の開示】
【発明が解決しようとする課題】
【０００３】
床材一体型の電気暖房設備においては、床暖房パネルの特定位置のものが暖まらない等の不具合を生じた場合には、その床暖房パネルを交換することが必要になる。しかしながら、この交換に際しては、隣接する床暖房パネル間の電気接続線をはずすことは容易ではない。
【０００４】
たとえば図５に例示したようにコネクター（１）と電線（２）とが結線された床暖房パネル（Ａ）（Ｂ）（Ｃ）の敷設構造においては、中央の床暖房パネル（Ｂ）を交換することが容易ではない。なぜならば、下地に接着施工された床暖房パネル（Ａ）（Ｂ）（Ｃ）から中央の床暖房パネル（Ｂ）を取り外す際には、丸のこ等でこのパネル（Ｂ）の両側部分に切れ目を入れ、バール等を差し込んで取り外すが、この時、横送り電線（２）を切断しないように床暖房パネル（Ｂ）を外すことが容易ではなく、隣接する床暖房パネル（Ａ）（Ｃ）のコネクター（１）に接続されている電線を外して、再度接続することは難しいのが実情である。
【０００５】
このような事情から、従来の床暖房パネルの交換は大変に面倒で、かつ手間がかかる作業を強いられていた。
【０００６】
そこで、この出願の発明は、以上のような従来技術の問題点を解消して、簡便かつ効率的に床材一体型の床暖房パネルの交換することのできる新しい交換接続の構造を提供することを課題としている。
【課題を解決するための手段】
【０００７】
この出願の発明は、上記の課題を解決するものとして、第１に床材一体型電気暖房における下地に接着施工される床暖房パネルの交換接続構造であって、隣接する床暖房パネルの各々はその下面に送り電線とともにその一方端の受け側コネクターと他方端の差し込み側コネクターとを納める納め溝部を有し、受け側コネクターが配置されるパネル端部には、隣接する床暖房パネルからの差し込み側コネクターが差し込まれる切り欠きを備えた雄ざね部が配設され、その交換時には、隣接する床暖房パネルの雄ざね部近傍において送り電線もしくは差し込み側コネクターを切断し、交換が必要とされる床暖房パネルを外すようにしたことを特徴とする床暖房パネルの交換接続構造を提供する。
【０００８】
また、第２には、受け側コネクターは、弾性差し込み機構を有していることを特徴とする交換接続構造を提供し、第３には、パネル下面の納め溝部は、差し込み側コネクターを納めるとともに、このコネクターがパネル端部よりはみ出るだけの送り電線の余長を吸収できる寸法を有していることを特徴とする交換接続構造を提供する。
【発明の効果】
【０００９】
この出願の発明は、上記第１の発明によれば送り電線や差し込み側コネクターを切断した後にパネルを剥し、残置された差し込み側コネクター、そして受け側コネクターを隣接するパネルの受け側コネクターと差し込み側コネクターから引き抜けばよく、また、新しいパネルは、隣接するパネルのコネクターとの接続を予め行っておけば簡便に敷設できるので、少々手荒な作業を行っても、隣接するパネルのコネクターに不具合を生じさせることなく、交換が必要とされる床暖房パネルを簡便、かつ効率的に交換することができる。
【００１０】
表面側からは見えない送り電線の位置などを考慮することなしに丸のこ等によって切断し、パネルを取外し交換することができることになる。
【００１１】
また、第２の発明によれば、切断、そしてパネルを剥した後の残置されたコネクターの除去が、ばね等による弾性機構によって容易とされ、また、第３の発明によれば、接続が構造的に安定化されるとともに、新しいパネルの敷設に際しての結線作業がより容易になる。
【発明を実施するための最良の形態】
【００１２】
この出願の発明は上記のとおりの特徴をもつのであるが、以下にその実施の形態についてその説明する。
【００１３】
図１は、この出願の発明の概要を例示したパネル底面側の構成図であるが、たとえばこの図１に示したように、この出願の発明の床材一体型電気暖房における下地に接着施工される床暖房パネルの交換接続構造においては、隣接する床暖房パネル（Ａ）（Ｂ）（Ｃ）の各々はその下面に送り電線（３）とともにその一方端の受け側コネクター（４）と他方端の差し込み側コネクター（５）とを納める納め溝部（６）を有し、受け側コネクター（４）が配置されるパネル端部には、隣接する床暖房パネルからの差し込み側コネクター（５）が挿入される切り欠き（７）を備えた雄ざね部（８）が配設され、その交換時には、隣接する床暖房パネル（Ｃ）の雄ざね部（８）近傍において送り電線（３）もしくは差し込み側コネクター（５）を、図中の矢印のように丸のこ等により切断し、交換が必要とされる床暖房パネル（Ｂ）を外すようにしている。
【００１４】
切断は、図１の例のように、隣接する床暖房パネル（Ｃ）の雄ざね部（８）を傷つけない位置で行われる。この切断は、刃先をパネル厚みに合わせて表面側より行うことになる。この切断の際には、前記のように、送り電線（３）や差し込み側コネクター（５）がカットされてもかまわない。
【００１５】
また、交換が必要とされる床暖房パネル（Ｂ）は、バール等を用いて剥すことができ、その際に、手荒な作業を行っても、隣接する床暖房パネル（Ａ）（Ｃ）の送り電線（３）やコネクター（４）（５）を傷つけることはない。
【００１６】
図２は、床暖房パネル（Ｂ）を剥した後に残置されている受け側コネクター（４）と送り電線（３）、そして切断されて残置された差し込み側コネクター（５）とを示している。この状態において、残置されている受け側コネクター（４）、切断されて残置されている差し込み側コネクター（５）を引抜くことになる。
【００１７】
新しいパネルを設置する際には、あらかじめ、隣接する床暖房パネル（Ａ）の差し込み側コネクター（５）に受け側コネクター（４）を接続し、また隣接する床暖房パネル（Ｃ）の受け側コネクター（４）に、送り電線（３）端部の差し込み側コネクター（５）を差し込み接続しておく。そして、送り電線（３）を挟まないように、これらをパネル下面の納め溝部（６）内に収納し、新しい床暖房パネルを下地面に接着固定する。
【００１８】
そして、この固定に際しては、あらかじめ新しい床暖房パネルの雌ざね部は下側をカットしておく。また、固定は、段差などが生じないように高さ合わせを行いながら行うことになる。
【００１９】
以上のことから明らかなように、この出願の発明の交換接続構造によれば，送り電線（３）や差し込み側コネクター（５）を切断した後にパネル（Ｂ）を剥し、残置された差し込み側コネクター（５）、そして受け側コネクター（４）を隣接するパネル（Ｃ）（Ａ）の受け側コネクター（４）と差し込み側コネクター（５）から引き抜けばよく、また、新しいパネルは、隣接するパネルのコネクター（４）（５）との接続を予め行っておけば簡便に敷設できるので、少々手荒な作業を行っても、隣接するパネル（Ａ）（Ｃ）のコネクターに不具合を生じさせることなく、交換が必要とされる床暖房パネルを簡便、かつ効率的に交換することができる。
【００２０】
表面側からは見えない送り電線（３）の位置などを考慮することなしに丸のこ等によって切断し、床暖房パネル（Ｂ）を取外し交換することができることになる。
【００２１】
図３は、この出願の発明の床暖パネルについて、送り電線（３）が伸びてその端部の差し込み側コネクター（５）がパネル端部より出ている状態を例示している。このような床暖房パネルでは、受け側コネクター（４）は、ばね等を用いた弾性差し込み機構を備えていることが好ましい構造として例示される。この弾性差し込み機構では、たとえば、接続は差し込むだけでよく、一方、取り外しは、解除ボタンを押しながら引抜くか、回転させながら引抜く等が可能になるようにすることができる。これによって接続、取り外しのための着脱が容易となる。
【００２２】
また、送り電線（３）については、たとえば差し込み側コネクター（５）が図中の距離（Ｌ）として５０ｍｍ程度出るようにすることが考慮される。これによって、たとえば図４のように隣接するパネル間での接続が形成された状態において、パネルの衝撃、振動等に際しても、送り電線（３）の余長が接続を構造的に安定化し、さらには、新しいパネルの敷設における接続を容易ともする。
【００２３】
パネル下面の納め溝部（６）については、差し込み側コネクター（５）が納まるとともに、このコネクター（５）が図３のようにはみ出る送り電線（３）の余長を吸収できるだけの寸法（形状）を有しているものとする。
【００２４】
もちろん、この出願の発明は以上の例に限定されることなく、その細部について様々な形態が可能とされることは言うまでもない。
【産業上の利用可能性】
【００２５】
この出願の発明によって、床材一体型電気暖房設備において、不具合の生じた床暖房パネルのみを簡便、かつ効率的に交換することが可能になる。
【図面の簡単な説明】
【００２６】
【図１】この出願の発明の概要図である。
【図２】パネルの切断と剥離後の状態を例示した概要図である。
【図３】送り電線が伸びた状態の床暖房パネルを例示した概要図である。
【図４】隣接パネルが接続された状態を例示した概要図である。
【図５】従来構造について示した概要図である。
【符号の説明】
【００２７】
Ａ，Ｂ，Ｃ  床暖房パネル
１  コネクター
２  電線
３  送り電線
４  受け側コネクター
５  差し込み側コネクター
６  納め溝部
７  切り欠き
８  雄ざね部
【図１】
2005127669.tif 000003
【図２】
2005127669.tif 000004
【図３】
2005127669.tif 000005
【図４】
2005127669.tif 000006
【図５】
2005127669.tif 000007